(57)【要約】      （修正有）【課題】強い制御介入感や違和感をドライバに与えることなく、ステアリング操作に対する車両挙動の応答性やリニア感を向上できると共に、車両姿勢を安定させて安心感を向上することができる、車両の挙動制御装置を提供する。【解決手段】車両の挙動制御装置は、左右の車輪に異なる制動力を付与可能なブレーキ制御システム18を備えた車両の挙動制御装置であって、操舵角を検出する操舵角センサ8と、操舵角に基づき、車両に付与すべき目標ヨーモーメントを設定し、目標ヨーモーメントが０から増加し始めた後、所定の立ち上がり時間が経過するまでの間は、目標ヨーモーメントに所定のオフセット値を加算したヨーモーメント指令値を設定し、立ち上がり時間経過後は目標ヨーモーメントをヨーモーメント指令値として設定するヨーモーメント設定部22とを備え、ブレーキ制御システムはヨーモーメント指令値に基づき各車輪の制動力を制御する。【選択図】図２
2019116137.tif 000002
【特許請求の範囲】
【請求項１】
左右の車輪に異なる制動力を付与可能な制動手段を備えた車両の挙動制御装置であって、
操舵角を検出する操舵角検出手段と、
前記操舵角に基づき、前記車両に付与すべき目標ヨーモーメントを設定し、前記目標ヨーモーメントが０から増加し始めた後、所定の立ち上がり時間が経過するまでの間は、前記目標ヨーモーメントに所定のオフセット値を加算したヨーモーメント指令値を設定し、前記立ち上がり時間経過後は前記目標ヨーモーメントをヨーモーメント指令値として設定する目標ヨーモーメント設定手段と、
前記ヨーモーメント指令値に基づき前記制動手段を制御する制御手段と、
を備える車両の挙動制御装置。
【請求項２】
前記目標ヨーモーメント設定手段は、
前記操舵角に基づき得られる車両の旋回状態を表す値が所定の第１の閾値以上である場合に、前記目標ヨーモーメントを設定し、
前記旋回状態を表す値が前記第１の閾値よりも小さい第２の閾値以上になった場合、所定の準備ヨーモーメント指令値をヨーモーメント指令値として設定し、
前記旋回状態を表す値が前記第１の閾値以上になった場合、そのときから前記立ち上がり時間が経過するまでの間は、前記目標ヨーモーメントに前記オフセット値を加算したヨーモーメント指令値を設定する、請求項１に記載の車両の挙動制御装置。
【請求項３】
前記旋回状態を表す値は、車両に実際に生じている実ヨーレートと前記操舵角に基づき算出した目標ヨーレートとの差の変化速度である、請求項２に記載の車両の挙動制御装置。
【請求項４】
前記旋回状態を表す値は、前記操舵角に基づき算出した操舵速度である、請求項２又は３に記載の車両の挙動制御装置。
【発明の詳細な説明】
【技術分野】
【０００１】
本発明は、車両の挙動制御装置に係わり、特に、左右の車輪に異なる制動力を付与可能な制動手段を備えた車両の挙動制御装置に関する。
【背景技術】
【０００２】
従来、スリップ等により車両の挙動が不安定になった場合に安全方向に車両の挙動を制御するもの（横滑り防止装置等）が知られている。具体的には、車両のコーナリング時等に、車両にアンダーステアやオーバーステアの挙動が生じたことを検出し、それらを抑制するように車輪に適切な減速度を付与するようにしたものが知られている。
【０００３】
また、上述したような車両の挙動が不安定になるような走行状態における安全性向上のための制御とは異なり、日常運転領域から稼動するハンドル操作に連係した加減速を自動的に行い、限界運転領域で横滑りを低減させるようにした車両の運動制御装置が知られている（例えば、特許文献１参照）。
【先行技術文献】
【特許文献】
【０００４】
【特許文献１】特開２０１０−１６２９１１号公報
【発明の概要】
【発明が解決しようとする課題】
【０００５】
しかしながら、従来の横滑り防止装置は、車両の挙動が不安定になる程の顕著なアンダーステアやオーバーステアが車両に生じた場合に、車両の姿勢を強制的に制御する。したがって、アンダーステアやオーバーステアが強くなる前の状況では制御が作動せず、また、制御作動時には強い制御介入感をドライバに与えることになる。
【０００６】
また、特許文献１に記載された従来の運動制御装置では、ドライバの操舵の切戻し操作に応じて、車両を加速する向きに駆動力を加える制御が行われるが、ドライバは車両の減速よりも加速を感知し易い傾向にあるので、制御作動時にドライバに違和感を与えてしまう。
また、ドライバの操舵に応じて各車輪に制動力を発生させようとしても、制動力を発生させる指令が出力されてから実際に制動力が生じるまでの間に応答遅れが存在するので、ドライバに違和感や介入感を与えてしまう。
【０００７】
本発明は、上述した従来技術の問題点を解決するためになされたものであり、強い制御介入感や違和感をドライバに与えることなく、ステアリング操作に対する車両挙動の応答性やリニア感を向上できると共に、車両姿勢を安定させて安心感を向上することができる、車両の挙動制御装置を提供することを目的とする。
【課題を解決するための手段】
【０００８】
上記の目的を達成するために、本発明の車両の挙動制御装置は、左右の車輪に異なる制動力を付与可能な制動手段を備えた車両の挙動制御装置であって、操舵角を検出する操舵角検出手段と、操舵角に基づき、車両に付与すべき目標ヨーモーメントを設定し、目標ヨーモーメントが０から増加し始めた後、所定の立ち上がり時間が経過するまでの間は、目標ヨーモーメントに所定のオフセット値を加算したヨーモーメント指令値を設定し、立ち上がり時間経過後は目標ヨーモーメントをヨーモーメント指令値として設定する目標ヨーモーメント設定手段と、ヨーモーメント指令値に基づき制動手段を制御する制御手段とを備える。
このように構成された本発明においては、目標ヨーモーメント設定手段は、目標ヨーモーメントが０から増加し始めた後、所定の立ち上がり時間が経過するまでの間は、目標ヨーモーメントにオフセット値を加算したヨーモーメント指令値を設定し、立ち上がり時間経過後は目標ヨーモーメントをヨーモーメント指令値として設定するので、オフセット値を加算しない場合と比較して、制御手段は制動力が迅速に立ち上がるように制動手段を制御することができる。したがって、ドライバのステアリング操作に応じて、所望のヨーモーメントを迅速に車両に付与することができ、素早く車両挙動を安定化させることができる。
【０００９】
また、本発明において、好ましくは、目標ヨーモーメント設定手段は、操舵角に基づき得られる車両の旋回状態を表す値が所定の第１の閾値以上である場合に、目標ヨーモーメントを設定し、旋回状態を表す値が第１の閾値よりも小さい第２の閾値以上になった場合、所定の準備ヨーモーメント指令値をヨーモーメント指令値として設定し、旋回状態を表す値が第１の閾値以上になった場合、そのときから立ち上がり時間が経過するまでの間は、目標ヨーモーメントにオフセット値を加算したヨーモーメント指令値を設定する。
このように構成された本発明においては、目標ヨーモーメント設定手段は、旋回状態を表す値が、目標ヨーモーメントが設定される第１の閾値よりも小さい第２の閾値以上になった場合、準備ヨーモーメント指令値をヨーモーメント指令値として設定するので、目標ヨーモーメントが設定される以前に制動手段を制動力が生じる直前の状態としておき、その後目標ヨーモーメントが設定されたときに直ちに制動力を生じさせることができ、ドライバのステアリング操作に応じて素早く車両挙動を安定化させることができる。
【００１０】
また、本発明において、好ましくは、旋回状態を表す値は、車両に実際に生じている実ヨーレートと操舵角に基づき算出した目標ヨーレートとの差の変化速度である。
このように構成された本発明においては、例えば圧雪路のような低μ路でステアリングホイールの操作を行った場合に、実ヨーレートの応答遅れに起因するヨーレート差の急激な変化に応じて直ちに旋回を抑える方向のヨーモーメントを車両に付与することができ、車両の挙動が不安定になる前の状況において、ドライバのステアリング操作に応じて素早く車両挙動を安定化させることができる。
【００１１】
また、本発明において、好ましくは、旋回状態を表す値は、操舵角に基づき算出した操舵速度である。
このように構成された本発明においては、ドライバのステアリング操作の速さに応じた大きさのヨーモーメントを車両１の旋回を抑える方向に付与することができ、ドライバのステアリング操作に応じて素早く車両挙動を安定化させることができる。
【発明の効果】
【００１２】
本発明による車両の挙動制御装置によれば、強い制御介入感や違和感をドライバに与えることなく、ステアリング操作に対する車両挙動の応答性やリニア感を向上できると共に、車両姿勢を安定させて安心感を向上することができる。
【図面の簡単な説明】
【００１３】
【図１】本発明の実施形態による車両の挙動制御装置を搭載した車両の全体構成を示すブロック図である。
【図２】本発明の実施形態による車両の挙動制御装置の電気的構成を示すブロック図である。
【図３】本発明の実施形態による車両の挙動制御装置が実行する挙動制御処理のフローチャートである。
【図４】本発明の実施形態による車両の挙動制御装置が付加減速度を設定する付加減速度設定処理のフローチャートである。
【図５】操舵速度と付加減速度との関係を示したマップである。
【図６】本発明の実施形態による車両の挙動制御装置が目標ヨーモーメントを設定する目標ヨーモーメント設定処理のフローチャートである。
【図７】本発明の実施形態による車両の挙動制御装置がヨーモーメント指令値を設定するヨーモーメント指令値設定処理のフローチャートである。
【図８】本発明の実施形態による車両の挙動制御装置を搭載した車両に圧雪路で旋回走行を行わせたときの、挙動制御に関わる各パラメータの時間変化を示すタイムチャートであり、（ａ）は操舵角を示すチャート、（ｂ）は目標ヨーレート及び実ヨーレートを示すチャート、（ｃ）は実ヨーレートと目標ヨーレートとの差を示すチャート、（ｄ）は実ヨーレートと目標ヨーレートとの差の変化速度を示すチャート、（ｅ）は目標横加速度を示すチャート、（ｆ）は目標横ジャークを示すチャート、（ｇ）は目標ヨーモーメントを示すチャートである。
【図９】本発明の実施形態による車両の挙動制御装置を搭載した車両に乾燥アスファルト路で旋回走行を行わせたときの、挙動制御に関わる各パラメータの時間変化を示すタイムチャートであり、（ａ）は操舵角を示すチャート、（ｂ）は目標ヨーレート及び実ヨーレートを示すチャート、（ｃ）は実ヨーレートと目標ヨーレートとの差を示すチャート、（ｄ）は実ヨーレートと目標ヨーレートとの差の変化速度を示すチャート、（ｅ）は目標横加速度を示すチャート、（ｆ）は目標横ジャークを示すチャート、（ｇ）は目標ヨーモーメントを示すチャートである。
【図１０】本発明の実施形態による車両の挙動制御装置が設定したヨーモーメント指令値と、それに応じたブレーキ装置の液圧の時間変化を示すタイムチャートであり、（ａ）はヨーモーメント指令値を示すチャート、（ｂ）〜（ｅ）は各車輪のブレーキ装置の液圧を示すチャートである。
【発明を実施するための形態】
【００１４】
以下、添付図面を参照して、本発明の実施形態による車両の挙動制御装置を説明する。
【００１５】
まず、図１により、本発明の実施形態による車両の挙動制御装置を搭載した車両について説明する。図１は、本発明の実施形態による車両の挙動制御装置を搭載した車両の全体構成を示すブロック図である。
【００１６】
図１において、符号１は、本実施形態による車両の挙動制御装置を搭載した車両を示す。車両１の車体前部には、駆動輪２（図１の例では左右の前輪）を駆動する駆動制御システム４が搭載されている。駆動制御システム４としては、ガソリンエンジンやディーゼルエンジンなどの内燃エンジンや、モータを用いることができる。詳細は後述するが、駆動制御システム４の少なくとも一部は、本発明における駆動手段及び駆動制御手段として機能する。
【００１７】
また、車両１は、ステアリングホイール６に連結されたステアリングコラム（図示せず）の回転角度（操舵角）を検出する操舵角センサ８、車速を検出する車速センサ１０、ヨーレートを検出するヨーレートセンサ１２を備えている。これらの各センサは、それぞれの検出値をＰＣＭ１４（Power-train Control Module）に出力する。
【００１８】
また、車両１は、各車輪に設けられたブレーキ装置１６のホイールシリンダやブレーキキャリパにブレーキ液圧を供給するブレーキ制御システム１８を備えている。ブレーキ制御システム１８は、ステップ的にヨーモーメント指令値が入力された場合に各車輪のブレーキ装置１６の液圧をどの程度の勾配で上昇させるのかを、ヨーモーメント指令値に応じて規定した制御マップを予め記憶している。ＰＣＭ１４からヨーモーメント指令値が入力されると、ブレーキ制御システム１８は制御マップを参照し、各車輪のブレーキ装置１６のそれぞれに独立して供給する液圧がヨーモーメント指令値に対応する勾配で上昇するようにポンプを制御する。
このブレーキ制御システム１８の少なくとも一部は、本発明における制動手段及び制御手段として機能する。
【００１９】
次に、図２により、本発明の実施形態による車両の挙動制御装置の電気的構成を説明する。図２は、本発明の実施形態による車両の挙動制御装置の電気的構成を示すブロック図である。
ＰＣＭ１４は、上述したセンサの検出信号の他、駆動制御システム４の運転状態を検出する各種センサが出力した検出信号に基づいて、駆動制御システム４の各部（例えば、スロットルバルブ、ターボ過給機、可変バルブ機構、点火装置、燃料噴射弁、ＥＧＲ装置、バッテリ残量等）に対する制御を行うべく、制御信号を出力する。
【００２０】
ＰＣＭ１４は、操舵角の変化に関連して車両１に付加すべき付加減速度を設定する付加減速度設定部２０と、操舵角の変化に関連して車両１に付与すべき目標ヨーモーメントを設定するヨーモーメント設定部２２とを有する。
これらのＰＣＭ１４の各構成要素は、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを記憶するためのＲＯＭやＲＡＭの如き内部メモリを備えるコンピュータにより構成される。
詳細は後述するが、ＰＣＭ１４は本発明における車両の挙動制御装置に相当し、目標ヨーモーメント設定手段及び駆動制御手段として機能する。
【００２１】
次に、図３〜図７により、車両の挙動制御装置が実行する処理について説明する。
図３は、本発明の実施形態による車両の挙動制御装置が実行する挙動制御処理のフローチャートであり、図４は、本発明の実施形態による車両の挙動制御装置が付加減速度を設定する付加減速度設定処理のフローチャートであり、図５は、操舵速度と付加減速度との関係を示したマップであり、図６は、本発明の実施形態による車両の挙動制御装置が目標ヨーモーメントを設定する目標ヨーモーメント設定処理のフローチャートであり、図７は、本発明の実施形態による車両の挙動制御装置がヨーモーメント指令値を設定するヨーモーメント指令値設定処理のフローチャートである。図５に示したマップは予め作成されメモリ等に記憶されている。
【００２２】
図３の挙動制御処理は、車両１のイグニッションがオンにされ、車両の挙動制御装置に電源が投入された場合に起動され、所定周期（例えば５０ｍｓ）で繰り返し実行される。
挙動制御処理が開始されると、図３に示すように、ステップＳ１において、ＰＣＭ１４は車両１の各種情報を取得する。具体的には、ＰＣＭ１４は、操舵角センサ８が検出した操舵角、車速センサ１０が検出した車速、ヨーレートセンサ１２が検出したヨーレート等を含む、上述した各種センサが出力した検出信号を取得する。
【００２３】
次に、ステップＳ２において、ＰＣＭ１４の付加減速度設定部２０は付加減速度設定処理を実行し、車両１に付加すべき付加減速度を設定する。
続いて、ステップＳ３において、ＰＣＭ１４のヨーモーメント設定部２２は目標ヨーモーメント設定処理を実行し、車両１に付与すべき目標ヨーモーメントを設定する。
次に、ステップＳ４において、ヨーモーメント設定部２２はヨーモーメント指令値設定処理を実行し、ブレーキ制御システム１８に出力するヨーモーメント指令値を設定する。
【００２４】
次に、ステップＳ５において、駆動制御システム４は、ステップＳ２において設定された付加減速度を車両１に付加するようにアクチュエータ（エンジンの燃料噴射装置、点火装置、吸排気系や、モータ等）を制御する。具体的には、駆動制御システム４は、設定された付加減速度を車両１に付加するように、エンジンやモータの出力トルクを減少させる。
また、ステップＳ５において、ブレーキ制御システム１８は、ステップＳ４において設定されたヨーモーメント指令値に基づきアクチュエータ（ポンプ等）を制御する。上述したように、ブレーキ制御システム１８は、ヨーモーメント指令値と液圧との関係を規定したマップを予め記憶しており、このマップを参照することにより、ステップＳ４のヨーモーメント指令値設定処理において設定されたヨーモーメント指令値に対応する液圧が得られるようにポンプを作動させると共に、各車輪のブレーキ装置１６への液圧供給ラインに設けられたバルブユニットを個々に制御し、各車輪の制動力を調整する。
ステップＳ５の後、ＰＣＭ１４は、挙動制御処理を終了する。
【００２５】
次に、図４により、付加減速度設定処理について説明する。
図４に示すように、付加減速度設定処理が開始されると、ステップＳ１１において、付加減速度設定部２０は、図３の挙動制御処理のステップＳ１において取得した操舵角に基づき操舵速度を算出する。
【００２６】
次に、ステップＳ１２において、付加減速度設定部２０は、ステアリングホイール６の切り込み操作中（即ち操舵角が増大中）且つ操舵速度が所定の閾値Ｓ1以上であるか否かを判定する。
その結果、切り込み操作中且つ操舵速度が閾値Ｓ1以上である場合、ステップＳ１３に進み、付加減速度設定部２０は、操舵速度に基づき付加減速度を設定する。この付加減速度は、ドライバの意図した車両挙動を正確に実現するために、ステアリング操作に応じて車両１に付加すべき減速度である。
【００２７】
具体的には、付加減速度設定部２０は、図５のマップに示した操舵速度と付加減速度との関係に基づき、ステップＳ１１において算出した操舵速度に対応する付加減速度を設定する。
図５における横軸は操舵速度を示し、縦軸は付加減速度を示す。図５に示すように、操舵速度が閾値Ｓ1未満である場合、対応する付加減速度は０である。即ち、操舵速度が閾値Ｓ1未満である場合、ＰＣＭ１４は、ステアリング操作に基づき車両１に減速度を付加するための制御（具体的にはエンジンやモータの出力トルクの低減）を行わない。
一方、操舵速度が閾値Ｓ1以上である場合には、操舵速度が増大するに従って、この操舵速度に対応する付加減速度は、所定の上限値Ｄmaxに漸近する。即ち、操舵速度が増大するほど付加減速度は増大し、且つ、その増大量の増加割合は小さくなる。この上限値Ｄmaxは、ステアリング操作に応じて車両１に減速度を付加しても、制御介入があったとドライバが感じない程度の減速度に設定される（例えば０．５ｍ／ｓ2≒０．０５Ｇ）。
さらに、操舵速度が閾値Ｓ1よりも大きい閾値Ｓ2以上の場合には、付加減速度は上限値Ｄmaxに維持される。
ステップＳ１３の後、付加減速度設定部２０は付加減速度設定処理を終了し、メインルーチンに戻る。
【００２８】
また、ステップＳ１２においてステアリングホイール６の切り込み操作中ではない（即ち操舵角が一定又は減少中）か、操舵速度が閾値Ｓ1未満である場合、付加減速度設定部２０は付加減速度設定処理を終了し、メインルーチンに戻る。
【００２９】
駆動制御システム４は、上述した付加減速度設定処理において操舵角の増大速度に基づき設定した付加減速度を実現するように、図３の挙動制御処理のステップＳ４においてエンジンやモータの出力トルクを減少させる。このように、ステアリングホイール６の切り込み操作が行われた場合に、その操舵速度に基づきエンジンやモータの出力トルクを減少させることにより前輪２の垂直荷重を増大させ、ドライバによる切り込み操作に対して良好な応答性で車両１の挙動を制御することができる。
【００３０】
次に、図６により、目標ヨーモーメント設定処理について説明する。
図６に示すように、目標ヨーモーメント設定処理が開始されると、ステップＳ２１において、ヨーモーメント設定部２２は、図３の挙動制御処理のステップＳ１において取得した操舵角及び車速に基づき目標ヨーレート及び目標横ジャークを算出する。
具体的には、ヨーモーメント設定部２２は、車速に応じた係数を操舵角に乗ずることにより目標ヨーレートを算出する。また、ヨーモーメント設定部２２は、目標ヨーレート及び車速から目標横加速度を算出し、この目標横加速度を時間微分することにより目標横ジャークを算出する。
【００３１】
次に、ステップＳ２２において、ヨーモーメント設定部２２は、図３の挙動制御処理のステップＳ１において取得したヨーレートセンサ１２が検出したヨーレート（実ヨーレート）とステップＳ２１で算出した目標ヨーレートとの差（ヨーレート差）Δγを算出する。
【００３２】
次に、ステップＳ２３において、ヨーモーメント設定部２２は、ステアリングホイール６の切り戻し操作中（即ち操舵角が減少中）であり、且つ、ヨーレート差Δγを時間微分することで得られるヨーレート差の変化速度Δγ′が所定の閾値Ｙ1以上であるか否かを判定する。
その結果、切り戻し操作中且つヨーレート差の変化速度Δγ′が閾値Ｙ1以上である場合、ステップＳ２４に進み、ヨーモーメント設定部２２は、ヨーレート差の変化速度Δγ′に基づき、車両１の実ヨーレートとは逆回りのヨーモーメントを目標ヨーモーメントとして設定する。具体的には、ヨーモーメント設定部２２は、所定の係数Ｃm1をヨーレート差の変化速度Δγ′に乗ずることにより、目標ヨーモーメントの大きさを算出する。
【００３３】
一方、ステップＳ２３において、ステアリングホイール６の切り戻し操作中ではない（即ち操舵角が一定又は増大中である）場合、ステップＳ２５に進み、ヨーモーメント設定部２２は、ヨーレート差の変化速度Δγ′が実ヨーレートが目標ヨーレートより大きくなる方向（即ち車両１の挙動がオーバーステアとなる方向）であり且つヨーレート差の変化速度Δγ′が閾値Ｙ1以上であるか否かを判定する。具体的には、ヨーモーメント設定部２２は、目標ヨーレートが実ヨーレート以上の状況の下でヨーレート差が減少している場合や、目標ヨーレートが実ヨーレート未満の状況の下でヨーレート差が増大している場合に、ヨーレート差の変化速度Δγ′は実ヨーレートが目標ヨーレートより大きくなる方向であると判定する。
【００３４】
その結果、ヨーレート差の変化速度Δγ′が実ヨーレートが目標ヨーレートより大きくなる方向であり且つヨーレート差の変化速度Δγ′が閾値Ｙ1以上である場合、ステップＳ２４に進み、ヨーモーメント設定部２２は、ヨーレート差の変化速度Δγ′に基づき、車両１の実ヨーレートとは逆回りのヨーモーメントを目標ヨーモーメントとして設定する。
【００３５】
ステップＳ２４の後、又は、ステップＳ２５においてヨーレート差の変化速度Δγ′が実ヨーレートが目標ヨーレートより大きくなる方向ではないかヨーレート差の変化速度Δγ′が閾値Ｙ1未満である場合、ステップＳ２６に進み、ヨーモーメント設定部２２は、ステアリングホイール６の切り戻し操作中（即ち操舵角が減少中）であり、且つ、操舵速度が所定の閾値Ｓ3以上であるか否かを判定する。
【００３６】
その結果、切り戻し中且つ操舵速度が閾値Ｓ3以上である場合、ステップＳ２７に進み、ヨーモーメント設定部２２は、ステップＳ２１で算出した目標横ジャークに基づき、車両１の実ヨーレートとは逆回りのヨーモーメントを第２の目標ヨーモーメントとして設定する。
具体的には、ヨーモーメント設定部２２は、所定の係数Ｃm2を目標横ジャークに乗ずることにより、第２の目標ヨーモーメントの大きさを算出する。
【００３７】
ステップＳ２７の後、又は、ステップＳ２６においてステアリングホイール６の切り戻し操作中ではない（即ち操舵角が一定又は増大中である）か操舵速度が閾値Ｓ3未満である場合、ヨーモーメント設定部２２は目標ヨーモーメント設定処理を終了し、メインルーチンに戻る。
【００３８】
次に、図７により、ヨーモーメント指令値設定処理について説明する。
図７に示すように、ヨーモーメント指令値設定処理が開始されると、ステップＳ３１において、ヨーモーメント設定部２２は、目標ヨーモーメント設定処理において目標ヨーモーメント又は第２の目標ヨーモーメントが設定されたか否かを判定する。
【００３９】
その結果、目標ヨーモーメント設定処理において目標ヨーモーメント又は第２の目標ヨーモーメントが設定されている場合、ステップＳ３２に進み、ヨーモーメント設定部２２は、目標ヨーモーメント又は第２の目標ヨーモーメントが設定されて０から増加し始めた後、所定の立ち上がり時間が経過したか否かを判定する。
【００４０】
その結果、目標ヨーモーメント又は第２の目標ヨーモーメントが設定されて０から増加し始めた後、所定の立ち上がり時間が経過している場合、ステップＳ３３に進み、ヨーモーメント設定部２２は、目標ヨーモーメントと第２の目標ヨーモーメントとの内、大きい方をヨーモーメント指令値に設定する。
一方、目標ヨーモーメント又は第２の目標ヨーモーメントが設定されて０から増加し始めた後、所定の立ち上がり時間が経過していない場合には、ステップＳ３４に進み、ヨーモーメント設定部２２は、目標ヨーモーメントと第２の目標ヨーモーメントとの内、大きい方に所定のオフセット値を加算した値をヨーモーメント指令値に設定する。
【００４１】
また、ステップＳ３１において、目標ヨーモーメント又は第２の目標ヨーモーメントが目標ヨーモーメント設定処理において設定されていないと判定された場合、ステップＳ３５に進み、ヨーモーメント設定部２２は、ステアリングホイール６の切り戻し操作中（即ち操舵角が減少中）であり、且つ、ヨーレート差の変化速度Δγ′が所定の閾値Ｙ2以上又は操舵速度が所定の閾値Ｓ4以上であるか否かを判定する。ここで、ヨーレート差の変化速度Δγ′の閾値Ｙ2は閾値Ｙ1より小さく、操舵速度の閾値Ｓ4は閾値Ｓ3より小さい。
【００４２】
その結果、切り戻し操作中、且つ、ヨーレート差の変化速度Δγ′が閾値Ｙ2以上又は操舵速度が閾値Ｓ4以上である場合、ステップＳ３６に進み、ヨーモーメント設定部２２は、所定の準備ヨーモーメント指令値をヨーモーメント指令値として設定する。
この準備ヨーモーメント指令値は、ブレーキ装置１６を、制動力が生じる直前の状態（例えばブレーキパッドとブレーキディスクとが接触する直前の状態）とするための値である。この場合、ヨーレート差の変化速度Δγ′が閾値Ｙ2以上又は操舵速度が閾値Ｓ4以上となったときから立ち上がり時間が経過するまでの間は、準備ヨーモーメント指令値に上記のオフセット値を加算した値をヨーモーメント指令値として設定してもよい。
【００４３】
ステップＳ３３、Ｓ３４若しくはＳ３６の後、又はステップＳ３５において切り戻し操作中ではないか、ヨーレート差の変化速度Δγ′が所定の閾値Ｙ2未満且つ操舵速度が所定の閾値Ｓ4未満である場合、ヨーモーメント設定部２２はヨーモーメント指令値設定処理を終了し、メインルーチンに戻る。
【００４４】
次に、図８〜図１０を参照して、本発明の実施形態による車両の挙動制御装置の作用を説明する。
図８は、本発明の実施形態による車両の挙動制御装置を搭載した車両１に圧雪路においてほぼ一定車速で旋回走行を行わせたときの、挙動制御に関わる各パラメータの時間変化を示すタイムチャートである。
【００４５】
図８のチャート（ａ）は、操舵角の時間変化を示すチャートである。チャート（ａ）に示すように、車両１が右旋回する方向にステアリングホイール６の切り込み操作が行われることにより右旋回方向に操舵角が増大し、その後切り戻し操作に応じて操舵角が減少する。
更に、ステアリングホイール６が中立位置で一時的に保持され、その後、左旋回方向にステアリングホイール６の切り込み操作が行われることにより左旋回方向に操舵角が増大し、その後切り戻し操作に応じて操舵角が減少する。
【００４６】
チャート（ｂ）はヨーレートの時間変化を示すチャートであり、破線が目標ヨーレート、実線が実ヨーレートを示している。また、チャート（ｃ）は、実ヨーレートと目標ヨーレートとのヨーレート差Δγを示すチャートである。
チャート（ｂ）、（ｃ）に示すように、車速に応じた係数を操舵角に乗ずることにより得られる目標ヨーレートは操舵角から遅れることなく変化するのに対し、実ヨーレートは目標ヨーレートよりもやや遅れて変化している。また、路面のμが低い圧雪路で車両１が旋回走行を行っているので、前輪２のスリップアングルは車両１が高μ路で旋回走行を行う場合と比較して大きくなる。
【００４７】
したがって、チャート（ｂ）、（ｃ）に示すように、右旋回方向にステアリングホイール６の切り込み操作が行われることにより右旋回方向に操舵角が増大するにつれ、実ヨーレートより目標ヨーレートが大きくなる方向にヨーレート差が増大する。その後、切り戻し操作による操舵角の減少に応じて目標ヨーレートは減少するが、実ヨーレートは目標ヨーレートからやや遅れて減少し始める。このため、ヨーレート差は急激に減少し、一時的に実ヨーレートが目標ヨーレートよりも大きくなる。即ち、ステアリングホイール６の切り戻し操作に対し、ヨーレート差は実ヨーレートが目標ヨーレートより大きくなる方向に向かって急激に変化する。
その後、実ヨーレートも減少し始めるとヨーレート差はほぼ０のまま維持される。続いて左旋回方向に切り込み操作が行われることにより左旋回方向に操舵角が増大するにつれ、実ヨーレートが目標ヨーレートより大きくなる方向にヨーレート差が再び増大する。その後、切り戻し操作が行われることにより操舵角が減少すると、目標ヨーレートが直ちに減少し始めるのに対して実ヨーレートの減少はやや遅れるので、右旋回の場合と同様に、ステアリングホイール６の切り戻し操作に対し、ヨーレート差は実ヨーレートが目標ヨーレートより大きくなる方向に向かって急激に変化する。
【００４８】
チャート（ｄ）はヨーレート差の変化速度を示すチャートである。上述したように、右旋回及び左旋回の何れにおいても、ステアリングホイール６の切り戻し操作が行われるときに、ヨーレート差は実ヨーレートが目標ヨーレートより大きくなる方向に向かって急激に変化する。即ち、チャート（ｄ）に示すように、ヨーレート差の変化速度は、ステアリングホイール６の切り戻し操作が開始されると直ちに実ヨーレートが目標ヨーレートより大きくなる方向に増大する。
【００４９】
チャート（ｅ）は目標横加速度を示すチャートであり、チャート（ｆ）は目標横ジャークを示すチャートである。
チャート（ｅ）、（ｆ）に示すように、操舵角に基づき算出される目標横加速度は、操舵角から遅れることなく変化する。ステアリングホイール６の切り戻し操作による操舵角の減少に応じて目標横加速度が減少するときには、その減少速度に応じて、目標横ジャークが車両１の旋回方向とは逆方向に増大する。
【００５０】
チャート（ｇ）は目標ヨーモーメントの変化を示すチャートであり、実線がヨーレート差の変化速度Δγ′に基づき設定された目標ヨーモーメント、破線が目標横ジャークに基づき設定された第２の目標ヨーモーメントを示す。
上述したように、路面のμが低い圧雪路で車両１が旋回走行を行った場合、実ヨーレートと目標ヨーレートとのヨーレート差が大きくなりやすく、特に切り戻し操舵を行うときにヨーレート差の変化速度が大きくなる。そのため、チャート（ｇ）に示すように、右旋回中に切り戻し操作を行った場合と、左旋回中に切り戻し操作を行った場合の何れにおいても、ヨーレート差の変化速度Δγ′に基づき設定された目標ヨーモーメントの方が目標横ジャークに基づき設定された第２の目標ヨーモーメントよりも大きくなっている。この場合、ヨーモーメント設定部２２は、ヨーレート差の変化速度Δγ′に基づき設定された目標ヨーモーメントをヨーモーメント指令値に設定する。
即ち、ステアリングホイール６の切り戻し操作が開始され、実ヨーレートが目標ヨーレートより大きくなる方向に向かってヨーレート差が急激に変化すると、ヨーモーメント設定部２２は、車両１の実ヨーレートとは逆回りの方向且つヨーレート差の変化速度に応じたヨーモーメント指令値をブレーキ制御システム１８に出力する。これにより、圧雪路のような低μ路でステアリングホイール６の切り戻し操作を行った場合に、実ヨーレートの応答遅れに起因するヨーレート差の急激な変化に応じて直ちに旋回を抑える方向のヨーモーメントを車両１に付与するので、ドライバのステアリング操作に応じて素早く車両挙動を安定化させることができる。
【００５１】
図９は、本発明の実施形態による車両の挙動制御装置を搭載した車両１に乾燥アスファルト路においてほぼ一定車速で旋回走行を行わせたときの、挙動制御に関わる各パラメータの時間変化を示すタイムチャートである。
【００５２】
図９のチャート（ａ）は、操舵角の時間変化を示すチャートである。チャート（ａ）に示すように、車両１が左旋回する方向にステアリングホイール６の切り込み操作が行われることにより左旋回方向に操舵角が増大し、その後切り戻し操作に応じて操舵角が減少する。
更に、ステアリングホイール６が中立位置で一時的に保持され、その後、右旋回方向にステアリングホイール６の切り込み操作が行われることにより右旋回方向に操舵角が増大し、その後切り戻し操作に応じて操舵角が減少する。
【００５３】
チャート（ｂ）はヨーレートの時間変化を示すチャートであり、破線が目標ヨーレート、実線が実ヨーレートを示している。また、チャート（ｃ）は、実ヨーレートと目標ヨーレートとのヨーレート差Δγを示すチャートである。
チャート（ｂ）、（ｃ）に示すように、車速に応じた係数を操舵角に乗ずることにより得られる目標ヨーレートは操舵角から遅れることなく変化するのに対し、実ヨーレートは目標ヨーレートよりも極僅かに遅れて変化している。しかしながら、路面のμが高い乾燥アスファルト路で車両１が旋回走行を行っているので、図８に示した圧雪路での旋回走行の場合と比較して前輪２のスリップアングルは小さい。
【００５４】
したがって、チャート（ｂ）、（ｃ）に示すように、左旋回方向にステアリングホイール６の切り込み操作が行われることにより左旋回方向に操舵角が増大するにつれ、目標ヨーレートと実ヨーレートがほぼ同様に増大し、その後、切り戻し操作による操舵角の減少に応じて目標ヨーレートと実ヨーレートはほぼ同様に減少する。この間、ヨーレート差は急激に変化することなく０の近傍でほぼ一定に保たれる。
続いて右旋回方向に切り込み操作が行われることにより右旋回方向に操舵角が増大し、その後、切り戻し操作が行われることにより操舵角が減少したときにも、左旋回の場合と同様に、ヨーレート差は急激に変化することなくほぼ一定に保たれる。
【００５５】
チャート（ｄ）はヨーレート差の変化速度を示すチャートである。上述したように、左旋回及び右旋回の何れにおいても、ヨーレート差は急激に変化することなくほぼ一定に保たれる。即ち、チャート（ｄ）に示すように、ヨーレート差の変化速度は、左旋回及び右旋回の何れにおいても比較的小さい値に保たれる。
【００５６】
チャート（ｅ）は目標横加速度を示すチャートであり、チャート（ｆ）は目標横ジャークを示すチャートである。
チャート（ｅ）、（ｆ）に示すように、操舵角に基づき算出される目標横加速度は、操舵角から遅れることなく変化する。ステアリングホイール６の切り戻し操作による操舵角の減少に応じて目標横加速度が減少するときには、その減少速度に応じて、目標横ジャークが車両１の旋回方向とは逆方向に増大する。
【００５７】
チャート（ｇ）は目標ヨーモーメントの変化を示すチャートであり、実線がヨーレート差の変化速度Δγ′に基づき設定された目標ヨーモーメント、破線が目標横ジャークに基づき設定された第２の目標ヨーモーメントを示す。
上述したように、路面のμが高い乾燥アスファルト路で車両１が旋回走行を行った場合、実ヨーレートと目標ヨーレートとのヨーレート差が急激に変化することなく０の近傍でほぼ一定に保たれるので、ヨーレート差の変化速度は比較的小さい値に保たれる。そのため、チャート（ｇ）に示すように、右旋回中に切り戻し操作を行った場合と、左旋回中に切り戻し操作を行った場合の何れにおいても、目標横ジャークに基づき設定された第２の目標ヨーモーメントの方が、ヨーレート差の変化速度Δγ′に基づき設定された目標ヨーモーメントよりも大きくなっている。この場合、ヨーモーメント設定部２２は、目標横ジャークに基づき設定された第２の目標ヨーモーメントをヨーモーメント指令値に設定する。
即ち、ステアリングホイール６の切り戻し操作が開始され、切り戻し操作による操舵角の減少速度に応じて目標横ジャークが増大すると、ヨーモーメント設定部２２は、車両１の実ヨーレートとは逆回りの方向且つ目標横ジャークに応じたヨーモーメント指令値をブレーキ制御システム１８に出力する。これにより、乾燥アスファルト路のような高μ路でステアリングホイール６の切り戻し操作を行った場合に、操舵角の減少による目標横ジャークの立ち上がりに応じて直ちに旋回を抑える方向のヨーモーメントを車両１に付与するので、ドライバのステアリング操作に応じて素早く車両挙動を安定化させることができる。
【００５８】
図１０は、本発明の実施形態による車両の挙動制御装置がヨーモーメント指令値をステップ的に増大させた場合の、各車輪におけるブレーキ液圧の時間変化を示すタイムチャートであり、（ａ）はヨーモーメント指令値を示すチャート、（ｂ）〜（ｅ）は各車輪のブレーキ装置の液圧を示すチャートである。チャート（ａ）における実線は、オフセット値が加算されたヨーモーメント指令値の変化を示し、破線はオフセット値が加算されない場合のヨーモーメント指令値の変化を示す。また、チャート（ｂ）〜（ｅ）における実線は、オフセット値が加算されたヨーモーメント指令値に基づく液圧の変化を示し、破線はオフセット値が加算されない場合のヨーモーメント指令値に基づく液圧の変化を示す。
【００５９】
図１０は、右旋回中にステアリングホイール６の切り戻し操作が行われた状況の下で、時刻ｔ1においてヨーレート差の変化速度Δγ′が閾値Ｙ2以上又は操舵速度が閾値Ｓ4以上になり、時刻ｔ3において目標ヨーモーメント又は第２の目標ヨーモーメントが設定された場合のヨーモーメント指令値及び液圧を示している。
【００６０】
時刻ｔ1においてヨーレート差の変化速度Δγ′が閾値Ｙ2以上又は操舵速度が閾値Ｓ4以上になると、チャート（ａ）において実線で示すように、ヨーモーメント設定部２２は、時刻ｔ1から立ち上がり時間が経過した時刻ｔ2までの間は、準備ヨーモーメント指令値Ｍpにオフセット値Ｍoffを加算した値をヨーモーメント指令値として設定し、時刻ｔ2以降は準備ヨーモーメント指令値Ｍpをヨーモーメント指令値として設定する。
さらに、時刻ｔ3において目標ヨーモーメント又は第２の目標ヨーモーメントが設定されると、目標ヨーモーメント又は第２の目標ヨーモーメントが設定されて０から増加し始めた後、立ち上がり時間が経過した時刻ｔ4までの間は、目標ヨーモーメントと第２の目標ヨーモーメントとの内、大きい方にオフセット値Ｍoffを加算した値をヨーモーメント指令値に設定し、時刻ｔ4以降は目標ヨーモーメントあるいは第２の目標ヨーモーメントをヨーモーメント指令値として設定する。
【００６１】
右旋回中にステアリングホイール６の切り戻し操作が行われた場合、ヨーモーメント指令値は、右旋回を抑える方向に設定される。この場合、ブレーキ制御システム１８は、チャート（ｂ）〜（ｅ）に示すように、左側の車輪のブレーキ液圧を上昇させて制動力を生じさせることにより左回りのヨーモーメントを付与する。
【００６２】
ヨーモーメント設定部２２は、時刻ｔ3において目標ヨーモーメント又は第２の目標ヨーモーメントが設定されて０から増加し始めた後、立ち上がり時間が経過した時刻ｔ4までの間は、目標ヨーモーメントあるいは第２の目標ヨーモーメントにオフセット値Ｍoffを加算した値をヨーモーメント指令値として設定しているので、オフセット値Ｍoffを加算しない場合（チャート（ｂ）、（ｄ）において破線により示す）と比較して、ブレーキ制御システム１８は液圧が急勾配で上昇するようにポンプを制御する（チャート（ｂ）、（ｄ）において実線により示す）。したがって、ドライバのステアリング操作に応じて、旋回を抑える方向のヨーモーメントを迅速に車両１に付与することができ、素早く車両挙動を安定化させることができる。
また、目標ヨーモーメント又は第２の目標ヨーモーメントが設定される前の状況の下で、時刻ｔ1においてヨーレート差の変化速度Δγ′が閾値Ｙ2以上又は操舵速度が閾値Ｓ4以上になると、ヨーモーメント設定部２２は、時刻ｔ1から立ち上がり時間が経過した時刻ｔ2までの間は、準備ヨーモーメント指令値Ｍpにオフセット値Ｍoffを加算した値をヨーモーメント指令値として設定し、時刻ｔ2以降は準備ヨーモーメント指令値Ｍpをヨーモーメント指令値として設定するので、ブレーキ装置１６を制動力が生じる直前の状態としておき、その後目標ヨーモーメント又は第２の目標ヨーモーメントが設定されたときに直ちに制動力を生じさせることができる。
【００６３】
次に、本発明の実施形態のさらなる変形例を説明する。
上述した実施形態においては、ステアリングホイール６に連結されたステアリングコラムの回転角度を操舵角として使用すると説明したが、ステアリングコラムの回転角度に代えて、あるいはステアリングコラムの回転角度と共に、操舵系における各種状態量（アシストトルクを付与するモータの回転角や、ラックアンドピニオンにおけるラックの変位等）を操舵角として用いてもよい。
【００６４】
次に、上述した本発明の実施形態及び本発明の実施形態の変形例による車両の挙動制御装置の効果を説明する。
【００６５】
まず、ヨーモーメント設定部２２は、目標ヨーモーメントが０から増加し始めた後、所定の立ち上がり時間が経過するまでの間は、目標ヨーモーメントにオフセット値を加算したヨーモーメント指令値を設定し、立ち上がり時間経過後は目標ヨーモーメントをヨーモーメント指令値として設定するので、オフセット値を加算しない場合と比較して、ブレーキ制御システム１８は制動力が迅速に立ち上がるようにブレーキ装置１６を制御することができる。したがって、ドライバのステアリング操作に応じて、所望のヨーモーメントを迅速に車両１に付与することができ、素早く車両挙動を安定化させることができる。
【００６６】
また、ヨーモーメント設定部２２は、旋回状態を表す値（ヨーレート差の変化速度Δγ′や操舵速度）が、目標ヨーモーメントや第２の目標ヨーモーメントが設定される第１の閾値（閾値Ｙ1、閾値Ｓ3）よりも小さい第２の閾値（閾値Ｙ2、閾値Ｓ4）以上になった場合、準備ヨーモーメント指令値をヨーモーメント指令値として設定するので、目標ヨーモーメントや第２の目標ヨーモーメントが設定される以前にブレーキ装置１６を制動力が生じる直前の状態としておき、その後目標ヨーモーメントや第２の目標ヨーモーメントが設定されたときに直ちに制動力を生じさせることができ、ドライバのステアリング操作に応じて素早く車両挙動を安定化させることができる。
【００６７】
また、旋回状態を表す値は、車両に実際に生じている実ヨーレートと操舵角に基づき算出した目標ヨーレートとの差の変化速度であるので、例えば圧雪路のような低μ路でステアリングホイールの操作を行った場合に、実ヨーレートの応答遅れに起因するヨーレート差の急激な変化に応じて直ちに旋回を抑える方向のヨーモーメントを車両１に付与することができ、車両１の挙動が不安定になる前の状況において、ドライバのステアリング操作に応じて素早く車両挙動を安定化させることができる。
【００６８】
また、旋回状態を表す値は、操舵角に基づき算出した操舵速度であるので、ドライバのステアリング操作の速さに応じた大きさのヨーモーメントを車両１の旋回を抑える方向に付与することができ、ドライバのステアリング操作に応じて素早く車両挙動を安定化させることができる。
【符号の説明】
【００６９】
１  車両
２  駆動輪（前輪）
４  駆動制御システム
６  ステアリングホイール
８  操舵角センサ
１０  車速センサ
１２  ヨーレートセンサ
１４  ＰＣＭ
１６  ブレーキ装置
１８  ブレーキ制御システム
２０  付加減速度設定部
２２  ヨーモーメント設定部
【図１】
2019116137.tif 000003
【図２】
2019116137.tif 000004
【図３】
2019116137.tif 000005
【図４】
2019116137.tif 000006
【図５】
2019116137.tif 000007
【図６】
2019116137.tif 000008
【図７】
2019116137.tif 000009
【図８】
2019116137.tif 000010
【図９】
2019116137.tif 000011
【図１０】
2019116137.tif 000012
【手続補正書】
【提出日】平成31年3月4日(2019.3.4)
【手続補正１】
【補正対象書類名】特許請求の範囲
【補正対象項目名】全文
【補正方法】変更
【補正の内容】
【特許請求の範囲】
【請求項１】
左右の車輪に異なる制動力を付与可能な制動手段を備えた車両の挙動制御装置であって、
ドライバにより操作されるステアリングホイールと、
前記ステアリングホイールの操作に対応する操舵角を検出する操舵角検出手段と、
前記操舵角検出手段により検出された前記操舵角に基づき、前記ステアリングホイールの切り戻し操作が判定されたとき、前記車両に付与すべき目標ヨーモーメントを設定し、前記目標ヨーモーメントが０から増加し始めた後、所定の立ち上がり時間が経過するまでの間は、前記目標ヨーモーメントに所定のオフセット値を加算したヨーモーメント指令値を設定し、前記立ち上がり時間経過後は前記目標ヨーモーメントをヨーモーメント指令値として設定する目標ヨーモーメント設定手段と、
前記ヨーモーメント指令値に基づき前記制動手段を制御する制御手段と、
を備える車両の挙動制御装置。
【請求項２】
前記目標ヨーモーメント設定手段は、
前記操舵角に基づき得られる車両の旋回状態を表す値が所定の第１の閾値以上である場合に、前記目標ヨーモーメントを設定し、
前記旋回状態を表す値が前記第１の閾値よりも小さい第２の閾値以上になった場合、前記制動手段を制動力が生じる直前の状態とするように設定された所定の準備ヨーモーメント指令値を、ヨーモーメント指令値として設定し、
前記旋回状態を表す値が前記第１の閾値以上になった場合、そのときから前記立ち上がり時間が経過するまでの間は、前記目標ヨーモーメントに前記オフセット値を加算したヨーモーメント指令値を設定する、請求項１に記載の車両の挙動制御装置。
【請求項３】
前記旋回状態を表す値は、車両に実際に生じている実ヨーレートと前記操舵角に基づき算出した目標ヨーレートとの差の変化速度である、請求項２に記載の車両の挙動制御装置。
【請求項４】
前記旋回状態を表す値は、前記操舵角に基づき算出した操舵速度である、請求項２又は３に記載の車両の挙動制御装置。
【手続補正２】
【補正対象書類名】明細書
【補正対象項目名】０００８
【補正方法】変更
【補正の内容】
【０００８】
上記の目的を達成するために、本発明の車両の挙動制御装置は、左右の車輪に異なる制動力を付与可能な制動手段を備えた車両の挙動制御装置であって、ドライバにより操作されるステアリングホイールと、ステアリングホイールの操作に対応する操舵角を検出する操舵角検出手段と、操舵角検出手段により検出された操舵角に基づき、ステアリングホイールの切り戻し操作が判定されたとき、車両に付与すべき目標ヨーモーメントを設定し、目標ヨーモーメントが０から増加し始めた後、所定の立ち上がり時間が経過するまでの間は、目標ヨーモーメントに所定のオフセット値を加算したヨーモーメント指令値を設定し、立ち上がり時間経過後は目標ヨーモーメントをヨーモーメント指令値として設定する目標ヨーモーメント設定手段と、ヨーモーメント指令値に基づき制動手段を制御する制御手段とを備える。
このように構成された本発明においては、目標ヨーモーメント設定手段は、目標ヨーモーメントが０から増加し始めた後、所定の立ち上がり時間が経過するまでの間は、目標ヨーモーメントにオフセット値を加算したヨーモーメント指令値を設定し、立ち上がり時間経過後は目標ヨーモーメントをヨーモーメント指令値として設定するので、オフセット値を加算しない場合と比較して、制御手段は制動力が迅速に立ち上がるように制動手段を制御することができる。したがって、ドライバのステアリング操作に応じて、所望のヨーモーメントを迅速に車両に付与することができ、素早く車両挙動を安定化させることができる。
【手続補正３】
【補正対象書類名】明細書
【補正対象項目名】０００９
【補正方法】変更
【補正の内容】
【０００９】
また、本発明において、好ましくは、目標ヨーモーメント設定手段は、操舵角に基づき得られる車両の旋回状態を表す値が所定の第１の閾値以上である場合に、目標ヨーモーメントを設定し、旋回状態を表す値が第１の閾値よりも小さい第２の閾値以上になった場合、制動手段を制動力が生じる直前の状態とするように設定された所定の準備ヨーモーメント指令値を、ヨーモーメント指令値として設定し、旋回状態を表す値が第１の閾値以上になった場合、そのときから立ち上がり時間が経過するまでの間は、目標ヨーモーメントにオフセット値を加算したヨーモーメント指令値を設定する。
このように構成された本発明においては、目標ヨーモーメント設定手段は、旋回状態を表す値が、目標ヨーモーメントが設定される第１の閾値よりも小さい第２の閾値以上になった場合、準備ヨーモーメント指令値をヨーモーメント指令値として設定するので、目標ヨーモーメントが設定される以前に制動手段を制動力が生じる直前の状態としておき、その後目標ヨーモーメントが設定されたときに直ちに制動力を生じさせることができ、ドライバのステアリング操作に応じて素早く車両挙動を安定化させることができる。